(57)【要約】      （修正有）【課題】パケット通信を行う通信網へのハンドオーバの実行中に音声通信の要求があった場合でも音声通信を適切に実行する。【解決手段】無線通信装置１０は、位置登録制御部１０２と、音声通信要求取得部１０３と、音声通信判定部１０４と、音声通信制御部１０５とを備える。位置登録制御部１０２は、音声通信及びパケット通信を行う第１通信網からパケット通信を行う第２通信網へのハンドオーバを実行することが決定された場合に、第２通信網に対して位置登録要求を送信するとともに、該位置登録要求に対する応答を第２通信網から受信する。音声通信要求取得部１０３は、第１通信網に対する音声通信要求を取得した場合に、取得した音声通信要求を保留する。音声通信制御部１０５は、前記位置登録要求に対する応答が受諾応答であり、かつ、音声通信要求が保留中である場合には、完了通知の返信を中止するとともに、保留中の音声通信要求を第１通信網に転送する。【選択図】図２
2013153339.tif 000002
【特許請求の範囲】
【請求項１】
音声通信及びパケット通信を行う第１通信網からパケット通信を行う第２通信網へのハンドオーバを実行することが決定された場合に、前記第２通信網に対する位置登録を要求する位置登録要求を送信するとともに、該位置登録要求に対する応答を前記第２通信網から受信する位置登録制御部と、
前記第１通信網に対して音声通信の実行を要求する音声通信要求を取得した場合に、取得した音声通信要求を保留する音声通信要求取得部と、
前記位置登録制御部によって受信された応答が前記位置登録要求を受諾する受諾応答である場合に、前記音声通信要求取得部によって取得された音声通信要求が保留中であるか否かを判定する音声通信判定部と、
前記音声通信判定部によって前記音声通信要求が保留中でないと判定された場合には、前記受諾応答の受信を完了した旨を通知する完了通知を前記第２通信網に返信し、前記音声通信要求が保留中であると判定された場合には、前記完了通知の返信を中止するとともに、保留中の前記音声通信要求を前記第１通信網に転送する音声通信制御部と
を備えたことを特徴とする無線通信装置。
【請求項２】
前記音声通信制御部は、さらに、前記位置登録制御部によって受信された応答が前記位置登録要求を拒絶する拒絶応答である場合に、前記音声通信要求取得部によって保留された音声通信要求を前記第１通信網に転送することを特徴とする請求項１に記載の無線通信装置。
【請求項３】
前記第１通信網によって実行される音声通信の切断を要求する音声通信切断要求を取得する音声通信切断要求取得部をさらに備え、
前記音声通信制御部は、前記音声通信切断要求取得部によって取得された音声通信切断要求を前記第１通信網に転送し、
前記位置登録制御部は、前記音声通信制御部によって音声通信切断要求が前記第１通信網に転送された場合に、前記第２通信網に対して前記位置登録要求を再送信することを特徴とする請求項１又は２に記載の無線通信装置。
【請求項４】
無線通信装置により実行される無線通信方法であって、
音声通信及びパケット通信を行う第１通信網からパケット通信を行う第２通信網へのハンドオーバを実行することが決定された場合に、前記第２通信網に対する位置登録を要求する位置登録要求を送信するとともに、該位置登録要求に対する応答を前記第２通信網から受信し、
前記第１通信網に対して音声通信の実行を要求する音声通信要求を取得した場合に、取得した音声通信要求を保留し、
前記受信された応答が前記位置登録要求を受諾する受諾応答である場合に、前記取得された音声通信要求が保留中であるか否かを判定し、
前記音声通信要求が保留中でないと判定された場合には、前記受諾応答の受信を完了した旨を通知する完了通知を前記第２通信網に返信し、前記音声通信要求が保留中であると判定された場合には、前記完了通知の返信を中止するとともに、保留中の前記音声通信要求を前記第１通信網に転送する
ことを含むことを特徴とする無線通信方法。
【発明の詳細な説明】
【技術分野】
【０００１】
本発明は、無線通信装置及び無線通信方法に関する。
【背景技術】
【０００２】
近年、第３世代携帯電話規格の標準化団体である３ＧＰＰ（3rd  Generation  Partnership  Project）及び３ＧＰＰ２（3rd  Generation  Partnership  Project  2）において、通信方式の異なる複数の通信網を共存させた移動通信システムの仕様の策定が進められている。このような移動通信システムとしては、例えば、音声通信及びパケット通信を行う１ｘ＋ＨＲＰＤ（High  Rate  Packet  Data）網とパケット通信のみを行うＬＴＥ（Long  Term  Evolution）網とを共存させた移動通信システムが知られている。１ｘ＋ＨＲＰＤ網とＬＴＥ網とを共存させた移動通信システムにおいては、携帯電話などの無線通信装置（ＵＥ：User Equipment）は、１ｘ＋ＨＲＰＤ網からＬＴＥ網へのハンドオーバ、或いは、ＬＴＥ網から１ｘ＋ＨＲＰＤ網へのハンドオーバを実行することが想定される。
【０００３】
１ｘ＋ＨＲＰＤ網からＬＴＥ網へのハンドオーバを実行する際に、ＵＥは、ＬＴＥ網に対する位置登録を事前に行う。すなわち、ＵＥは、ＬＴＥ網に対する位置登録を要求する信号であるＡｔｔａｃｈ  Ｒｅｑｕｅｓｔを送信する。そして、Ａｔｔａｃｈ  Ｒｅｑｕｅｓｔを送信したＵＥは、Ａｔｔａｃｈ  Ｒｅｑｕｅｓｔに対する応答信号をＬＴＥ網から受信する。そして、ＵＥは、Ａｔｔａｃｈ  Ｒｅｑｕｅｓｔを受諾するＡｔｔａｃｈ  Ａｃｃｅｐｔを応答信号としてＬＴＥ網から受信した場合に、Ａｔｔａｃｈ  Ａｃｃｅｐｔの受信を完了した旨を通知するＡｔｔａｃｈ  ＣｏｍｐｌｅｔｅをＬＴＥ網に返信する。これにより、ＬＴＥ網に対する位置登録が完了するため、その後、ＵＥとＬＴＥ網との間で無線リンクが確立されることにより、位置登録手順を行うことなくＵＥとＬＴＥ網とのパケット通信を実行することが可能となる。
【先行技術文献】
【特許文献】
【０００４】
【特許文献１】特開２０１０−６８２３３号公報
【発明の概要】
【発明が解決しようとする課題】
【０００５】
しかしながら、上述した従来技術では、パケット通信のみを行う通信網へのハンドオーバの実行中に音声通信の要求があった場合に、音声通信の実行が妨げられる恐れがあるという問題がある。
【０００６】
具体的には、上述した従来技術では、Ａｔｔａｃｈ  Ａｃｃｅｐｔを受信する前に１ｘ＋ＨＲＰＤ網に対する音声通信の要求を取得した場合でも、ＵＥは、Ａｔｔａｃｈ  Ａｃｃｅｐｔを受信すると、Ａｔｔａｃｈ  ＣｏｍｐｌｅｔｅをＬＴＥ網に返信する。このため、上述した従来の技術では、ＵＥとＬＴＥ網との間に無線リンクが確立され、ＵＥと１ｘ＋ＨＲＰＤ網との音声通信の実行が妨げられる恐れがある。
【０００７】
開示の技術は、上記に鑑みてなされたものであって、パケット通信を行う通信網へのハンドオーバの実行中に音声通信の要求があった場合でも音声通信を適切に実行することができる無線通信装置及び無線通信方法を提供することを目的とする。
【課題を解決するための手段】
【０００８】
本願の開示する無線通信装置は、位置登録制御部と、音声通信要求取得部と、音声通信判定部と、音声通信制御部とを備える。位置登録制御部は、音声通信及びパケット通信を行う第１通信網からパケット通信を行う第２通信網へのハンドオーバを実行することが決定された場合に、前記第２通信網に対する位置登録を要求する位置登録要求を送信するとともに、該位置登録要求に対する応答を前記第２通信網から受信する。音声通信要求取得部は、前記第１通信網に対して音声通信の実行を要求する音声通信要求を取得する。音声通信判定部は、前記位置登録制御部によって受信された応答が前記位置登録要求を受諾する受諾応答である場合に、前記音声通信要求取得部によって音声通信要求が取得されたか否かを判定する。音声通信制御部は、前記音声通信判定部によって前記音声通信要求が取得されていないと判定された場合には、前記受諾応答の受信を完了した旨を通知する完了通知を前記第２通信網に返信する。音声通信制御部は、前記音声通信要求が取得されたと判定された場合には、前記完了通知の返信を中止するとともに、取得された前記音声通信要求を前記第１通信網に転送する。
【発明の効果】
【０００９】
本願の開示する無線通信装置の一つの態様によれば、パケット通信を行う通信網へのハンドオーバの実行中に音声通信の要求があった場合でも音声通信を適切に実行することができるという効果を奏する。
【図面の簡単な説明】
【００１０】
【図１】図１は、本実施例に係る無線通信装置を含む無線通信システムの構成例を示す図である。
【図２】図２は、本実施例に係る無線通信装置（ＵＥ）の構成を示す機能ブロック図である。
【図３】図３は、本実施例に係る無線通信装置（ＵＥ）のハードウェア構成を示す図である。
【図４】図４は、本実施例に係る無線通信装置（ＵＥ）による処理手順を示すフローチャートである。
【図５】図５は、ＵＥが１ｘ＋ＨＲＰＤ網からＬＴＥ網にハンドオーバする場合における、本実施例に係る移動通信システムに含まれる各装置の処理の流れを示すシーケンス図である。
【発明を実施するための形態】
【００１１】
以下に、本願の開示する無線通信装置及び無線通信方法を図面に基づいて詳細に説明する。なお、以下の実施例により開示技術が限定されるものではない。
【実施例】
【００１２】
まず、本実施例に係る無線通信装置を含む移動通信システムについて、図１を参照して説明する。図１は、本実施例に係る無線通信装置を含む移動通信システムの構成例を示す図である。
【００１３】
図１に示す移動通信システムは、無線通信装置（ＵＥ：User  Equipment）１０と、１ｘ＋ＨＲＰＤ（High  Rate  Packet  Data）網２０と、ＬＴＥ（Long  Term  Evolution）網３０とを含む。
【００１４】
ＵＥ１０は、移動可能な無線通信装置であり、例えば、携帯電話端末である。ＵＥ１０は、１ｘ＋ＨＲＰＤ網２０及びＬＴＥ網３０それぞれと無線による通信を実施する。例えば、ＵＥ１０は、１ｘ＋ＨＲＰＤ網２０との間に無線リンクを確立して１ｘ＋ＨＲＰＤ網２０と音声通信又はパケット通信を行う。また、例えば、ＵＥ１０は、１ｘ＋ＨＲＰＤ網２０からＬＴＥ網３０へのハンドオーバを実行することにより、ＬＴＥ網３０との間に無線リンクを確立してＬＴＥ網３０とパケット通信を行う。
【００１５】
１ｘ＋ＨＲＰＤ網２０は、音声通信及びパケット通信を行う通信網である。具体的には、１ｘ＋ＨＲＰＤ網２０は、１ｘＲＴＴ（1x  Radio  Transmission  Technology）網２０ａと、ＨＲＰＤ網２０ｂとを含む。
【００１６】
１ｘＲＴＴ網２０ａは、回線交換接続方式を用いてＵＥ１０と音声通信を行う通信網である。具体的には、１ｘＲＴＴ網２０ａは、１ｘＲＴＴ  Ａｃｃｅｓｓ２１と、１ｘＲＴＴ  ＭＳＣ（Mobile Switching Center）２２と、１ｘＣＳ  ＩＷＳ（Circuit  Switching  Inter  Work  System）２３とを備える。１ｘＲＴＴ  Ａｃｃｅｓｓ２１は、１ｘＲＴＴ網２０ａに接続するための無線リンクをＵＥ１０に提供する基地局装置である。１ｘＲＴＴ  ＭＳＣ２２は、公衆回線網と接続された交換局であり、１ｘＲＴＴ  Ａｃｃｅｓｓ２１を介して１ｘＲＴＴ網２０ａに接続されたＵＥ１０と公衆回線網との回線交換接続を行う。１ｘＣＳ  ＩＷＳ２３は、１ｘＲＴＴ  ＭＳＣ２２とＭＭＥ３２との間で交換されるメッセージを中継する。
【００１７】
ＨＲＰＤ網２０ｂは、パケット交換接続方式を用いてＵＥ１０とパケット通信を行う通信網である。具体的には、ＨＲＰＤ網２０ｂは、ＨＲＰＤ  ＡＮ（Access  Node）２４と、ＨＳ  ＧＷ（ＨＲＰＤ  Serving  Gateway）２５とを備える。ＨＲＰＤ  ＡＮ２４は、ＨＲＰＤ網２０ｂに接続するための無線リンクをＵＥ１０に提供する基地局装置である。ＨＳ  ＧＷ２５は、外部のパケットデータネットワーク（ＰＤＮ：Packet  Data  Network）と接続されたノードであり、ＨＲＰＤ  ＡＮ２４を介してＨＲＰＤ網２０ｂに接続されたＵＥ１０とＰＤＮとのパケット交換接続を行う。
【００１８】
ＬＴＥ網３０は、パケット交換接続方式を用いてＵＥ１０とパケット通信を行う通信網である。具体的には、ＬＴＥ網３０は、Ｅ−ＵＴＲＡＮ（Evolved  Universal  Terrestrial  Radio  Access  Network）３１と、ＭＭＥ（Mobility  Management  Entity）３２と、Ｓｅｒｖｉｎｇ／ＰＤＮ  ＧＷ３３とを備える。また、ＬＴＥ網３０は、ＨＳＳ（Home  Subscriber  Server）３４と、３ＧＰＰ  ＡＡＡ  Ｓｅｒｖｅｒ（3GPP  Authentication  Authorization  Accounting  Server）３５とを備える。Ｅ−ＵＴＲＡＮ３１は、ＬＴＥ網３０に接続するための無線リンクをＵＥ１０に提供する基地局装置である。ＭＭＥ３２は、ＵＥ１０の位置登録等を管理するノードである。Ｓｅｒｖｉｎｇ／ＰＤＮ  ＧＷ３３は、外部のＰＤＮと接続されたノードであり、Ｅ−ＵＴＲＡＮ３１を介してＬＴＥ網３０に接続されたＵＥ１０とＰＤＮとのパケット交換接続を行う。ＨＳＳ３４は、加入者情報を管理するノードである。３ＧＰＰ  ＡＡＡ  Ｓｅｒｖｅｒ３５は、接続認証を担当するノードである。
【００１９】
本実施例のＵＥ１０は、１ｘ＋ＨＲＰＤ網２０からＬＴＥ網３０へのハンドオーバを実行することが決定された場合に、以下の処理を行う。すなわち、ＵＥ１０は、まず、ＬＴＥ網３０に対する位置登録を要求する信号であるＡｔｔａｃｈ  Ｒｅｑｕｅｓｔを送信する。そして、ＵＥ１０は、Ａｔｔａｃｈ  Ｒｅｑｕｅｓｔを受諾するＡｔｔａｃｈ  Ａｃｃｅｐｔを応答信号としてＬＴＥ網３０から受信した場合に、１ｘＲＴＴ網２０ａに対する音声通信要求が取得されたか否かを判定する。
【００２０】
そして、ＵＥ１０は、音声通信要求が取得されていない場合には、Ａｔｔａｃｈ  Ａｃｃｅｐｔの受信を完了した旨を通知するＡｔｔａｃｈ  ＣｏｍｐｌｅｔｅをＬＴＥ網３０に返信する。これにより、ＵＥ１０とＬＴＥ網３０との間に無線リンクが確立され、ＵＥ１０とＬＴＥ網３０とのパケット通信を実行することが可能となる。
【００２１】
一方、ＵＥ１０は、音声通信要求が取得された場合には、ＬＴＥ網３０に対するＡｔｔａｃｈ  Ｃｏｍｐｌｅｔｅの返信を中止するとともに、取得された音声通信要求を１ｘＲＴＴ網２０ａに転送する。これにより、ＵＥ１０と１ｘＲＴＴ網２０ａとの間に無線リンクが確立され、ＵＥ１０と１ｘＲＴＴ網２０ａとの音声通信を実行することが可能となる。
【００２２】
このように、本実施例のＵＥ１０は、Ａｔｔａｃｈ  Ａｃｃｅｐｔの受信前に１ｘＲＴＴ網２０ａに対する音声通信要求が取得された場合には、ＬＴＥ網３０に対するＡｔｔａｃｈ  Ｃｏｍｐｌｅｔｅの返信を中止し、音声通信要求を１ｘＲＴＴ網２０ａに転送する。このため、本実施例のＵＥ１０は、パケット通信を行うＬＴＥ網３０へのハンドオーバの実行中に音声通信の要求があった場合でも、ハンドオーバを中断しつつ音声通信処理を継続することができ、結果として、音声通信を適切に実行することができる。
【００２３】
次に、本実施例に係るＵＥ１０の構成について、図２を参照して説明する。図２は、本実施例に係る無線通信装置（ＵＥ）１０の構成を示す機能ブロック図である。図２に示すように、ＵＥ１０は、位置登録制御部１０２と、音声通信要求取得部１０３と、音声通信判定部１０４と、音声通信制御部１０５と、音声通信切断要求取得部１０６とを備える。
【００２４】
位置登録制御部１０２は、音声通信及びパケット通信を行う１ｘ＋ＨＲＰＤ網２０からパケット通信を行うＬＴＥ網３０へのハンドオーバを実行することが決定された場合に、ＬＴＥ網３０に対してＡｔｔａｃｈ  Ｒｅｑｕｅｓｔを送信するとともに、Ａｔｔａｃｈ  Ｒｅｑｕｅｓｔに対する応答をＬＴＥ網３０から受信する。なお、ＨＲＰＤ網２０ｂから送信される信号の受信電力が規定値よりも小さくなった場合や、ＬＴＥ網３０から送信される信号の受信電力が規定値よりも大きくなった場合等に、１ｘ＋ＨＲＰＤ網２０からＬＴＥ網３０へのハンドオーバを実行することが決定される。位置登録制御部１０２は、ＬＴＥ網３０から受信した応答がＡｔｔａｃｈ  Ｒｅｑｕｅｓｔを受諾するＡｔｔａｃｈ  Ａｃｃｅｐｔである場合には、その旨を音声通信判定部１０４に通知する。一方、位置登録制御部１０２は、ＬＴＥ網３０から受信した応答がＡｔｔａｃｈ  Ｒｅｑｕｅｓｔを拒絶するＡｔｔａｃｈ  Ｒｅｊｅｃｔである場合には、その旨を音声通信制御部１０５に通知する。
【００２５】
また、位置登録制御部１０２は、後述する音声通信制御部１０５によって音声通信切断要求が１ｘＲＴＴ網２０ａに転送された場合に、ＬＴＥ網３０に対してＡｔｔａｃｈ  Ｒｅｑｕｅｓｔを再送信する。
【００２６】
音声通信要求取得部１０３は、１ｘ＋ＨＲＰＤ網２０の１ｘＲＴＴ網２０ａに対して音声通信の実行を要求する音声通信要求を取得する。例えば、音声通信要求取得部１０３は、ＵＥ１０の操作部などのユーザインタフェース（ＵＩ：User  Interface）部からユーザの操作を受け付けることにより、音声通信要求を取得する。音声通信要求取得部１０３は、音声通信要求を取得すると、取得した音声通信要求を１ｘＲＴＴ網に送信する前に位置登録処理中（Ａｔｔａｃｈ  Ａｃｃｅｐｔ受信待ち）であるか否かを示す情報を位置登録制御部１０２から取得する。音声通信要求取得部１０３は、位置登録処理中の場合には音声通信要求を保留し、位置登録処理中でない場合には１ｘＲＴＴ網に送信要求を行う。
【００２７】
音声通信判定部１０４は、ＬＴＥ網３０から受信した応答がＡｔｔａｃｈ  Ｒｅｑｕｅｓｔを受諾するＡｔｔａｃｈ  Ａｃｃｅｐｔである旨の通知を位置登録制御部１０２から受け付けると、以下の処理を行う。すなわち、音声通信判定部１０４は、音声通信要求取得部１０３によって取得された音声通信要求が保留中であるか否かを判定する。そして、音声通信判定部１０４は、音声通信要求が保留中であるか否かを示す判定結果を音声通信制御部１０５に通知する。
【００２８】
音声通信制御部１０５は、音声通信判定部１０４から判定結果を受け付ける。音声通信制御部１０５は、音声通信要求が保留中でない旨を示す判定結果を受け付けた場合には、Ａｔｔａｃｈ  Ａｃｃｅｐｔの受信を完了した旨を通知するＡｔｔａｃｈ  ＣｏｍｐｌｅｔｅをＬＴＥ網３０に返信する。一方、音声通信制御部１０５は、音声通信要求が保留中である旨を示す判定結果を受け付けた場合には、ＬＴＥ網３０に対するＡｔｔａｃｈ  Ｃｏｍｐｌｅｔｅの返信を中止する。そして、音声通信制御部１０５は、音声通信要求取得部１０３にて保留中の音声通信要求を１ｘ＋ＨＲＰＤ網２０の１ｘＲＴＴ網２０ａに転送する。
【００２９】
また、音声通信制御部１０５は、ＬＴＥ網３０から受信した応答がＡｔｔａｃｈ  Ｒｅｑｕｅｓｔを拒絶するＡｔｔａｃｈ  Ｒｅｊｅｃｔである旨の通知を位置登録制御部１０２から受け付けた場合に、以下の処理を行う。すなわち、音声通信制御部１０５は、音声通信要求取得部１０３にて保留中の音声通信要求を１ｘＲＴＴ網２０ａに転送する。
【００３０】
また、音声通信制御部１０５は、音声通信切断要求取得部１０６によって取得された音声通信切断要求を１ｘＲＴＴ網２０ａに転送する。
【００３１】
音声通信切断要求取得部１０６は、１ｘＲＴＴ網２０ａによって実行される音声通信の切断を要求する音声通信切断要求を取得する。例えば、音声通信切断要求取得部１０６は、ＵＥ１０の操作部などのＵＩ部からユーザの操作を受け付けることにより、音声通信切断要求を取得する。
【００３２】
ここで、本実施例に係るＵＥ１０のハードウェア構成について、図３を参照して説明する。図３は、本実施例に係る無線通信装置（ＵＥ）１０のハードウェア構成を示す図である。図３に示すように、ＵＥ１０は、アンテナ１０ａ、無線送受信部１０ｂ、信号処理部１０ｃ、ＰＣＭ（Pulse Code Modulation）コーデック１０ｄ、増幅器１０ｅ、スピーカ１０ｆ、増幅器１０ｇ、マイク１０ｈ及び時計回路１０ｉを有する。また、ＵＥ１０は、操作部１０ｊ、表示部１０ｋ、ＣＰＵ（Central  Processing  Unit）１０ｌ及び記憶装置１０ｍを有する。
【００３３】
アンテナ１０ａは、１ｘ＋ＨＲＰＤ網２０又はＬＴＥ網３０から送信される信号を受信するとともに、１ｘ＋ＨＲＰＤ網２０又はＬＴＥ網３０に対して信号を送信する。無線送受信部１０ｂは、アンテナ１０ａを介して、１ｘ＋ＨＲＰＤ網２０又はＬＴＥ網３０との間で無線通信を行う。信号処理部１０ｃは、無線送受信部１０ｂで受信した受信信号を復調してディジタルデータを抽出する。また、信号処理部１０ｃは、入力されたディジタルデータを変調して無線送受信部１０ｂに送信する。ＰＣＭコーデック１０ｄは、信号処理部１０ｃで復調したディジタルデータから音声データを抽出する。また、ＰＣＭコーデック１０ｄは、増幅器１０ｇを介してマイク１０ｈから入力された音声データをディジタルデータに変換する。
【００３４】
増幅器１０ｅは、ＰＣＭコーデック１０ｄから入力される音声信号を増幅する。スピーカ１０ｆは、音声信号を音声として出力する。増幅器１０ｇは、マイク１０ｈから入力される音声信号を増幅する。マイク１０ｈは、音声を音声信号として入力する。時計回路１０ｉは、ＣＰＵ１０ｌに対してタイマ機能や時計機能を提供する。操作部１０ｊは、ＵＥ１０のユーザからの種々の操作を受け付ける。表示部１０ｋは、ＵＥ１０のユーザに対して種々の情報を表示する。
【００３５】
記憶装置１０ｍは、ＲＯＭ（Read  Only  Memory）及びＲＡＭ（Random  Access  Memory）を有している。そして、ＣＰＵ１０ｌ及び記憶装置１０ｍは、例えば、図２に示した位置登録制御部１０２、音声通信要求取得部１０３、音声通信判定部１０４、音声通信制御部１０５及び音声通信切断要求取得部１０６等の機能を実現する。例えば、記憶装置１０ｍは、図２に示した位置登録制御部１０２、音声通信要求取得部１０３、音声通信判定部１０４、音声通信制御部１０５及び音声通信切断要求取得部１０６等による処理を実現する各種プログラムをＲＯＭに記憶している。そして、ＣＰＵ１０ｌ及び記憶装置１０ｍのＲＡＭは、これらの各種プログラムを読み出して実行することで、上述した各機能を実現するプロセスを生成する。
【００３６】
次に、本実施例に係るＵＥ１０による処理手順について、図４を参照して説明する。図４は、本実施例に係る無線通信装置（ＵＥ）１０による処理手順を示すフローチャートである。
【００３７】
図４に示すように、ＵＥ１０の位置登録制御部１０２は、ＬＴＥ網３０に対してＡｔｔａｃｈ  Ｒｅｑｕｅｓｔを送信する（Ｓ１１）。
【００３８】
位置登録制御部１０２は、Ａｔｔａｃｈ  Ｒｅｑｕｅｓｔの送信時から所定時間が経過するまで（Ｓ１２；Ｎｏ、Ｓ１３；Ｎｏ、Ｓ１４；Ｎｏ）、処理をステップＳ１２に戻して、ＬＴＥ網３０からの応答を待機する。
【００３９】
位置登録制御部１０２は、ＬＴＥ網３０から受信した応答がＡｔｔａｃｈ  Ｒｅｊｅｃｔである場合（Ｓ１３；Ｙｅｓ）、並びに、Ａｔｔａｃｈ  Ｒｅｑｕｅｓｔの送信時から所定時間が経過した場合（Ｓ１４；Ｙｅｓ）には、処理をステップＳ１５に移行する。
【００４０】
ステップＳ１５では、音声通信制御部１０５は、音声通信要求取得部１０３にて保留中の音声通信要求を１ｘＲＴＴ網２０ａに転送する。
【００４１】
一方、位置登録制御部１０２は、ＬＴＥ網３０から受信した応答がＡｔｔａｃｈ  Ａｃｃｅｐｔである場合には（Ｓ１２；Ｙｅｓ）、その旨を音声通信判定部１０４に通知する。ＬＴＥ網３０から受信した応答がＡｔｔａｃｈ  Ａｃｃｅｐｔである旨の通知を受け付けた音声通信判定部１０４は、音声通信要求取得部１０３によって取得された音声通信要求が保留中であるか否かを判定する（Ｓ１６）。
【００４２】
音声通信制御部１０５は、音声通信要求が保留中でない旨を示す判定結果を音声通信判定部１０４から受け付けた場合には（Ｓ１６；Ｎｏ）、位置登録制御部１０２を制御して、Ａｔｔａｃｈ  ＣｏｍｐｌｅｔｅをＬＴＥ網３０に返信する（Ｓ１７）。これにより、ＵＥ１０とＬＴＥ網３０との間に無線リンクが確立され、ＵＥ１０とＬＴＥ網３０とのパケット通信が開始される。
【００４３】
一方、音声通信制御部１０５は、音声通信要求が保留中である旨を示す判定結果を音声通信判定部１０４から受け付けた場合には（Ｓ１６；Ｙｅｓ）、位置登録制御部１０２を制御して、ＬＴＥ網３０に対するＡｔｔａｃｈ  Ｃｏｍｐｌｅｔｅの返信を中止する（Ｓ１８）。そして、音声通信制御部１０５は、音声通信要求取得部１０３によって取得された音声通信要求を１ｘ＋ＨＲＰＤ網２０の１ｘＲＴＴ網２０ａに転送する（Ｓ１９）。これにより、ＵＥ１０と１ｘＲＴＴ網２０ａとの間に無線リンクが確立され、ＵＥ１０と１ｘＲＴＴ網２０ａとの音声通信が開始される。
【００４４】
ＵＥ１０と１ｘＲＴＴ網２０ａとの音声通信が開始されると、音声通信制御部１０５は、音声通信切断要求取得部１０６によって音声通信切断要求が取得されるまで待機する（Ｓ２０；Ｎｏ）。音声通信制御部１０５は、音声通信切断要求取得部１０６によって音声通信切断要求が取得された場合には（Ｓ２０；Ｙｅｓ）、取得された音声通信切断要求を１ｘＲＴＴ網２０ａに転送する（Ｓ２１）。これにより、ＵＥ１０と１ｘＲＴＴ網２０ａとの間の無線リンクが切断され、ＵＥ１０と１ｘＲＴＴ網２０ａとの音声通信が終了する。そして、位置登録制御部１０２は、音声通信制御部１０５によって音声通信切断要求が１ｘＲＴＴ網２０ａに転送されると、ＬＴＥ網３０に対してＡｔｔａｃｈ  Ｒｅｑｕｅｓｔを再送信し（Ｓ２２）、処理をステップＳ１２に戻す。
【００４５】
次に、ＵＥ１０が１ｘ＋ＨＲＰＤ網２０からＬＴＥ網３０にハンドオーバする場合における、本実施例に係る移動通信システムに含まれる各装置の処理の流れについて、図５を参照して説明する。図５は、ＵＥ１０が１ｘ＋ＨＲＰＤ網２０からＬＴＥ網３０にハンドオーバする場合における、本実施例に係る移動通信システムに含まれる各装置の処理の流れを示すシーケンス図である。図５では、ＵＥ１０が１ｘ＋ＨＲＰＤ網２０の１ｘＲＴＴ網２０ａと音声通信を実行してから、ＬＴＥ網３０に対するハンドオーバを完了するまでの各装置における処理手順について説明する。
【００４６】
図５に示すように、ＵＥ１０は、ＨＲＰＤ網２０ｂのＨＲＰＤ  ＡＮ２４との間に無線リンクを確立し（Ｓ３１）、ＨＲＰＤ  ＡＮ２４を介してＳｅｒｂｉｎｇ／ＰＤＮ  ＧＷ３３とパケット通信を行う（Ｓ３２）。そして、ＵＥ１０は、１ｘ＋ＨＲＰＤ網２０からＬＴＥ網３０へのハンドオーバを実行することを決定する（Ｓ３３）。
【００４７】
ＬＴＥ網３０へのハンドオーバを実行することを決定したＵＥ１０は、ＬＴＥ網３０に対する位置登録を要求するＡｔｔａｃｈ  ＲｅｑｕｅｓｔをＨＲＰＤ  ＡＮ２４に送信する（Ｓ３４）。Ａｔｔａｃｈ  Ｒｅｑｕｅｓｔを受信したＨＲＰＤ  ＡＮ２４は、受信したＡｔｔａｃｈ  ＲｅｑｕｅｓｔをＬＴＥ網３０のＭＭＥ３２に転送する（Ｓ３５）。
【００４８】
Ａｔｔａｃｈ  Ｒｅｑｕｅｓｔを受信したＭＭＥ３２は、ＨＳＳ３４と協働して位置登録処理を行う（Ｓ３６）。Ａｔｔａｃｈ  Ｒｅｑｕｅｓｔを受信したＨＳＳ３４は、ＵＥ１０がＭＭＥ３２配下に接続したことを記録する。
【００４９】
位置登録処理を終了したＭＭＥ３２は、Ｓｅｒｖｉｎｇ／ＰＤＮ  ＧＷ３３とのセッションを確立するセッション確立処理を行う（Ｓ３７）。
【００５０】
一方、ＵＥ１０は、ＬＴＥ網３０側で位置登録処理及びセッション確立処理が行われている期間に、１ｘＲＴＴ網２０ａに対して音声通信の実行を要求する音声通信要求を取得したものとする（Ｓ３８）。さらに、ＵＥ１０は、取得した音声通信要求の１ｘＲＴＴ網２０の１ｘＲＴＴ  Ａｃｃｅｓｓ２１への転送を保留するものとする。
【００５１】
セッション確立処理を終了したＭＭＥ３２は、Ａｔｔａｃｈ  Ｒｅｑｕｅｓｔを受諾するＡｔｔａｃｈ  ＡｃｃｅｐｔをＨＲＰＤ  ＡＮ２４に送信する（Ｓ３９）。Ａｔｔａｃｈ  Ａｃｃｅｐｔを受信したＨＲＰＤ  ＡＮ２４は、受信したＡｔｔａｃｈ  ＡｃｃｅｐｔをＵＥ１０に転送する（Ｓ４０）。
【００５２】
ＬＴＥ網３０から受信した応答がＡｔｔａｃｈ  Ａｃｃｅｐｔであるため、ＵＥ１０は、音声通信要求が保留中であるか否かを判定する。ＵＥ１０は、ステップＳ３８にて音声通信要求が保留中であるため、ＬＴＥ網３０に対するＡｔｔａｃｈ  Ｃｏｍｐｌｅｔｅの返信を中止する（Ｓ４１）。これにより、ＵＥ１０とＬＴＥ網３０との間の無線リンクが確立されず、ＬＴＥ網３０へのハンドオーバが中断される。そして、ＵＥ１０は、ステップＳ３８にて保留中の音声通信要求を１ｘＲＴＴ網２０ａの１ｘＲＴＴ  Ａｃｃｅｓｓ２１に転送する（Ｓ４２）。これにより、ＵＥ１０と１ｘＲＴＴ網２０ａとの間に無線リンクが確立され、ＵＥ１０と１ｘＲＴＴ網２０ａとの音声通信が開始される（Ｓ４３）。
【００５３】
そして、ＵＥ１０は、１ｘＲＴＴ網２０ａによって実行される音声通信の切断を要求する音声通信切断要求を取得する（Ｓ４４）。そして、ＵＥ１０は、ステップＳ４４にて取得された音声通信切断要求を１ｘＲＴＴ  Ａｃｃｅｓｓ２１に転送する（Ｓ４５）。これにより、ＵＥ１０と１ｘＲＴＴ網２０ａとの間の無線リンクが切断され、ＵＥ１０と１ｘＲＴＴ網２０ａとの音声通信が切断される（Ｓ４６）。
【００５４】
音声通信切断要求を１ｘＲＴＴ  Ａｃｃｅｓｓ２１に転送したＵＥ１０は、ＬＴＥ網３０に対してＡｔｔａｃｈ  ＲｅｑｕｅｓｔをＨＲＰＤ  ＡＮ２４に再送信する（Ｓ４７）。Ａｔｔａｃｈ  Ｒｅｑｕｅｓｔを受信したＨＲＰＤ  ＡＮ２４は、受信したＡｔｔａｃｈ  ＲｅｑｕｅｓｔをＬＴＥ網３０のＭＭＥ３２に転送する（Ｓ４８）。
【００５５】
Ａｔｔａｃｈ  Ｒｅｑｕｅｓｔを受信したＭＭＥ３２は、ＨＳＳ３４と協働して位置登録処理を行う（Ｓ４９）。位置登録処理を終了したＭＭＥ３２は、Ｓｅｒｖｉｎｇ／ＰＤＮ  ＧＷ３３とのセッションを確立するセッション確立処理を行う（Ｓ５０）。
【００５６】
セッション確立処理を終了したＭＭＥ３２は、Ａｔｔａｃｈ  ＡｃｃｅｐｔをＨＲＰＤ  ＡＮ２４に送信する（Ｓ５１）。Ａｔｔａｃｈ  Ａｃｃｅｐｔを受信したＨＲＰＤ  ＡＮ２４は、受信したＡｔｔａｃｈ  ＡｃｃｅｐｔをＵＥ１０に転送する（Ｓ５２）。
【００５７】
ＬＴＥ網３０から受信した応答がＡｔｔａｃｈ  Ａｃｃｅｐｔであるため、ＵＥ１０は、音声通信要求が保留中であるか否かを判定する。ＵＥ１０は、音声通信要求が保留中でないため、ＬＴＥ網３０に対するＡｔｔａｃｈ  ＣｏｍｐｌｅｔｅをＨＲＰＤ  ＡＮ２４に返信する（Ｓ５３）。Ａｔｔａｃｈ  Ｃｏｍｐｌｅｔｅを受信したＨＲＰＤ  ＡＮ２４は、受信したＡｔｔａｃｈ  ＣｏｍｐｌｅｔｅをＭＭＥ３２に転送する（Ｓ５４）。これにより、ＵＥ１０とＬＴＥ網３０のＥ−ＵＴＲＡＮ３１との間の無線リンクが確立され（Ｓ５５）、ＵＥ１０とＬＴＥ網３０とのパケット通信が開始される（Ｓ５６）。
【００５８】
上述してきたように、本実施例のＵＥ１０は、Ａｔｔａｃｈ  Ｒｅｑｕｅｓｔの送信後Ａｔｔａｃｈ  Ａｃｃｅｐｔの受信前に１ｘＲＴＴ網２０ａに対する音声通信要求が取得された場合には、１ｘＲＴＴ網２０に対する音声通信要求の転送を保留する。そして、ＵＥ１０は、Ａｔｔａｃｈ  Ａｃｃｅｐｔを受信した場合に、ＬＴＥ網３０に対するＡｔｔａｃｈ  Ｃｏｍｐｌｅｔｅの返信を中止する。そして、ＵＥ１０は、保留していた音声通信要求を１ｘＲＴＴ網２０ａに転送する。このため、本実施例のＵＥ１０は、パケット通信を行うＬＴＥ網３０へのハンドオーバの実行中に音声通信の要求があった場合でも、ハンドオーバを中断しつつ音声通信処理を継続することができ、結果として、音声通信を適切に実行することができる。
【００５９】
また、本実施例のＵＥ１０は、音声通信切断要求が１ｘＲＴＴ網２０ａに転送された場合に、ＬＴＥ網３０に対してＡｔｔａｃｈ  Ｒｅｑｕｅｓｔを再送信する。このため、本実施例のＵＥ１０は、音声通信の終了後にＬＴＥ網３０に対するハンドオーバを速やかに再開することができる。
【符号の説明】
【００６０】
１０  ＵＥ
２０  １ｘ＋ＨＲＰＤ網
２０ａ  １ｘＲＴＴ網
２０ｂ  ＨＲＰＤ網
３０  ＬＴＥ網
１０２  位置登録制御部
１０３  音声通信要求取得部
１０４  音声通信判定部
１０５  音声通信制御部
１０６  音声通信切断要求取得部
【図１】
2013153339.tif 000003
【図２】
2013153339.tif 000004
【図３】
2013153339.tif 000005
【図４】
2013153339.tif 000006
【図５】
2013153339.tif 000007